(57)【特許請求の範囲】
【請求項１】
時分割通信の基本フレームをバーストアクセス通信用領域及び時分割通信用領域に分割し、バーストアクセス通信及び時分割通信の混在を可能としたＴＤＭＡ／ＴＤＤ方式の移動通信システムにおける無線チャネルアクセス方法において、
前記バーストアクセス通信及び前記時分割通信の通信チャネル構成を動的に変更する変更ステップと、
前記移動通信システムにおける基地局は、前記通信チャネル構成の変更に先だって、前記移動通信システムにおける移動局に通信チャネルにより、前記通信チャネル構成の変更の内容を通知する通知ステップとを有し、
時分割通信用領域において、上り回線に対して、下り回線の比率を大きくし、前記通知ステップにより通知される前記通信チャネル構成の変更の内容は、デフォルトの通信チャネル構成及び前記デフォルトの通信チャネル構成と異なるチャネルの通信チャネル構成を有する通信チャネルフレーム構成情報であることを特徴とするＴＤＭＡ／ＴＤＤ方式の移動通信システムにおける無線チャネルアクセス方法。
【請求項２】
前記通知ステップにより通知される前記通信チャネル構成の変更の内容は、更に、通信チャネルフレーム構成情報パターンを有することを特徴とする請求項１記載のＴＤＭＡ／ＴＤＤ方式の移動通信システムにおける無線チャネルアクセス方法。
【請求項３】
前記デフォルトの通信チャネル構成と異なるチャネルの通信チャネル構成は、チャネル番号情報、基本フレーム周期情報、ＴＤＭＡ／ＴＤＤ構成情報、バーストアクセス方式情報及び変更タイミング情報を有することを特徴とする請求項１又は２記載のＴＤＭＡ／ＴＤＤ方式の移動通信システムにおける無線チャネルアクセス方法。
【請求項４】
時分割通信の基本フレームをバーストアクセス通信用領域及び時分割通信用領域に分割し、バーストアクセス通信及び時分割通信の混在を可能としたＴＤＭＡ／ＴＤＤ方式の移動通信システムにおける無線チャネルアクセス方法において、
前記バーストアクセス通信及び前記時分割通信の通信チャネル構成を動的に変更する変更ステップと、
前記移動通信システムにおける基地局は、前記通信チャネル構成の変更に先だって、前記移動通信システムにおける移動局には通信チャネルにより、前記通信チャネル構成の変更の内容を通知する通知ステップとを有し、
時分割通信用領域において、上り回線に対して、下り回線の比率を大きくし、前記通知ステップにより通知される前記通信チャネル構成の変更の内容は、通信チャネル構成が変更されるチャネルの通信チャネル構成及び通信チャネルフレーム構成情報パターンを有する通信チャネルフレーム構成差分情報であることを特徴とするＴＤＭＡ／ＴＤＤ方式の移動通信システムにおける無線チャネルアクセス方法。
【請求項５】
前記通信チャネル構成が変更されるチャネルの通信チャネル構成は、チャネル番号情報、基本フレーム周期情報、ＴＤＭＡ／ＴＤＤ構成情報、バーストアクセス方式情報及び変更タイミング情報を有することを特徴とする請求項４記載のＴＤＭＡ／ＴＤＤ方式の移動通信システムにおける無線チャネルアクセス方法。
【請求項６】
前記移動局は、前記通信チャネル構成の変更に先だって、前記基地局から送出された、前記通信チャネル構成の変更の内容に基づいて、通信チャネルの構成を変更することを特徴とする請求項１ないし５いずれか一項記載のＴＤＭＡ／ＴＤＤ方式の移動通信システムにおける無線チャネルアクセス方法。
【請求項７】
時分割による多重通信に加え、スペクトル拡散による多重通信を行うことを特徴とする請求項１ないし６いずれか一項記載のＴＤＭＡ／ＴＤＤ方式の移動通信システムにおける無線チャネルアクセス方法。
【発明の詳細な説明】
【０００１】
【発明の属する技術分野】
本発明は、時分割通信方式の移動通信システムにおける無線チャネルアクセス方法、その方法を使用する基地局及び移動局に関する。
【０００２】
【従来の技術】
無線通信の技術分野においては、多くの通信装置間で、混信なく（信号の衝突を回避して）通信を行うために、各種の通信チャネルアクセス方式が用いられている。無線ＬＡＮの分野においては、通信アクセス方式の一つとして、バーストアクセス通信を用いた無線アクセス方式が用いられる。バーストアクセス通信とは、コンピュータ等が、特定の時間に集中して、他のコンピュータ又はデータ端末装置とデータを効率よく送受するための通信方式である。例えば、図１に示すように、ある一つの周波数を複数の移動局及び基地局（ＳＴＡ１〜ＳＴＡｎ）が共有し、送受する時間（Ｔ１〜Ｔ４）を異ならせて通信する方式で、フレーム長を可変とすることができる。
【０００３】
また、無線ＬＡＮの規格としてＩＥＥＥ  Ｐ８０２. １１がある。図２に、無線アクセス方式のフレーム構成例を示す。バーストアクセス方式は、コンテンション方式とノンコンテンション方式の二つがある。図２のコンテンションフリーの部分が、ノンコンテンション方式に属する。例えば、基地局がデータ送出を許可するためのポーリング信号（例えば、図２において、ポーリング信号は、ビーコンＢの後に、一定の期間をおいて、移動局に順次、間欠的に送出される。）を移動局に送信し、移動局はその信号を受けて、ポーリング信号に基づいて、可変長フレームのデータを基地局に送信するアクセス方式である。図２のコンテンションの部分は、例えば、移動局及び基地局がデータを送信する前に、回線の使用状態を搬送周波数の検出（キャリアセンス）により行い、他の基地局又は移動局が回線を使用していなければ、フレームを送出するが、回線が使用中であればデータの送出を見合わせるアクセス方式である。また、図２の基本フレームの冒頭に挿入されたビーコンは、基本フレームの周期及びコンテンションフリーの周期の情報を移動局に知らせるために制御チャネルとして用いられている。
【０００４】
一方、時分割通信方式の無線システムとしては、デジタルセルラー電話、デジタルコードレス電話がある。デジタルセルラー電話の規格としては、ＲＣＲ ＳＴＤ−２７”デジタル方式自動車電話システム”がある。例えば、図３に示すように、移動局から基地局への回線（以下、「上り回線」という。）（Ａ）と基地局から移動局への回線（以下、「下り回線」という。）（Ｂ）として、異なる周波数を使用し、さらに、上り回線と下り回線は、同一の基本周期Ｔを有し、上り回線と下り回線の基本周期Ｔには、それぞれ、固定長の６フレーム（フレーム１〜フレーム６）により時分割したＴＤＭＡ(Time  Division  Multiple  Access)方式がとられている。なお、図３（Ａ）、（Ｂ）における番号は、タイムスロットに割り当てたフレームの番号である。
【０００５】
ここでは、使用する通信回線は、基地局が割り当てる。例えば、移動局が通信を行う場合、基地局によって割り当てられたフレーム（例えば、フレーム番号１のフレーム１）を使用して通信が行われる。つまり、基地局と移動局は、通信回線として、基本周期ごとに繰り返されるフレーム１（スラッシュが引かれたフレーム１）を上り回線、下り回線で使用して通信を行う。
【０００６】
また、デジタルコードレス電話の規格としては、ＲＣＲ  ＳＴＤ−２８”第二世代コードレス電話システム”があり、上り回線と下り回線は、同一周波数を用い、上り回線と下り回線を時分割して使用する。時分割は図４に示すように、上り回線と下り回線、それぞれ固定長の４フレームに時分割したＴＤＭＡ/ ＴＤＤ(Time Division Multiple Access /Time Division Duplex) 方式がとられている。
【０００７】
ここでも、使用する通信回線は、基地局が割り当てる。例えば、移動局が通信を行う場合、基地局によって割り当てられたフレーム（例えば、フレーム番号２のフレーム２）を使用して通信が行われる。つまり、基地局と移動局は、通信回線として、基本周期ごとに繰り返されるフレーム２を上り回線、下り回線で使用して通信を行う。
【０００８】
また、これらのＴＤＭＡ、ＴＤＭＡ／ＦＤＤ(Time Division Multiple Access /Frequency  Division Duplex) 又はＴＤＭＡ/ ＴＤＤで構成されたチャネルを、さらに周波数で多重化する技術( ＦＤＭＡ: Frequency Division Multiple Access) を用いることができる。この技術を使用することにより、使用できるチャネル数を増加することができる。例えば、Ｎ周波数使用するれば、Ｎ倍のチャネルを利用することが可能となる。
【０００９】
一方、スペクトル拡散方式があるが、この方式には、コードを用いて信号を拡散する直接拡散方式、搬送波の周波数を瞬間的に変更して信号を拡散する周波数ホッピング方式等が、従来から知られている。これらは同一周波数帯上の信号に対して、異なったコード又はホッピングパターンを使用して、信号を拡散することによって複数チャネルが使用可能となる多重化技術である。現在、規格化作業が進み、次世代の移動通信の規格ＩＭＴ−２０００では、周波数多重と直交する（周波数多重による信号と混信することのない信号）多重としてコード拡散によって多重化を行うＣＤＭＡ (Code Division Multiple Access)が用いられる。
【００１０】
【発明が解決しようとする課題】
上記した無線チャネルアクセス方式の一つである、無線ＬＡＮに用いられるバーストアクセス通信方式は、バースト的なデータ（短い期間に発生する大量なデータ）を通信するために最適化されている。一方、音声通信などのリアルタイム通信を行う場合には、原則として、回線を捕捉して置く必要がある。リアルタイム通信をバーストアクセス通信方式で行うためには、周期的なタイミングでリアルタイム通信のデータを送受する必要が生じる。この場合、不定期に発生するバースト的なデータと送信タイミングが重る。それを避けようとすると、フレームの伝送遅延が生じたり、音声がとぎれたりするなどリアルタイム通信の通信品質を常に保証することができなくなる。一方、セルラー通信に用いられるＴＤＭＡ方式の場合では、あらかじめ通信チャネルが確保されているので、リアルタイム通信には向いているが、バースト的にデータを通信する場合、データ量が少ない場合でも固定長のＴＤＭＡのアクセス領域（タイムスロット）を割り当てなければならず、無駄なタイムスロットの割当てが生じ、回線の使用効率が低くなる。また、発生するデータごとにＴＤＭＡのタイムスロットを割り当てるなど制御も大変複雑になる。
【００１１】
本発明は、上記問題に鑑みなされたものであり、データ通信と音声通信において、所要の通信品質を満たし、かつ効率よく行うための無線アクセス方式を提供することを目的とするものである。
【００１２】
【課題を解決するための手段】
請求項１に記載された発明は、時分割通信の基本フレームをバーストアクセス通信用領域及び時分割通信用領域に分割し、バーストアクセス通信及び時分割通信の混在を可能としたＴＤＭＡ／ＴＤＤ方式の移動通信システムにおける無線チャネルアクセス方法において、前記バーストアクセス通信及び前記時分割通信の通信チャネル構成を動的に変更する変更ステップと、前記移動通信システムにおける基地局は、前記通信チャネル構成の変更に先だって、前記移動通信システムにおける移動局に通信チャネルにより、前記通信チャネル構成の変更の内容を通知する通知ステップとを有し、時分割通信用領域において、上り回線に対して、下り回線の比率を大きくし、前記通知ステップにより通知される前記通信チャネル構成の変更の内容は、デフォルトの通信チャネル構成及び前記デフォルトの通信チャネル構成と異なるチャネルの通信チャネル構成を有する通信チャネルフレーム構成情報であることを特徴とするＴＤＭＡ／ＴＤＤ方式の移動通信システムにおける無線チャネルアクセス方法である。
【００１３】
請求項１記載の発明によれば、時分割通信の基本フレームをバーストアクセス通信用領域及び時分割通信用領域に分割し、バーストアクセス通信及び時分割通信の混在を可能とし、時分割通信用領域において、上り回線に対して、下り回線の比率を大きくしたことにより、音声通信及びデータ通信のそれぞれのトラフィックに応じた通信品質を満たすための制御が可能な無線チャネルアクセス方法を提供することができる。
また、バーストアクセス通信及び時分割通信の通信チャネル構成を動的に変更することにより、音声通信及びデータ通信のそれぞれのトラフィックに応じた通信品質を満たすための制御が可能となり、データ通信と音声通信が所要の通信品質を満たし、かつ効率よく行うための無線チャネルアクセス方法を提供することができる。
また、基地局は通信チャネル構成の変更に先だって、移動局に通信チャネル構成の変更の内容を通知することにより、移動局は、通信チャネル構成の変更を確実に行うことができる。また、必要に応じて、通信チャネルにより、前記通信チャネル構成の変更の内容を通知することにより、制御データの量に応じ弾力的に、基地局から移動局に通信チャネル構成の変更の内容を通知することができる。
また、ＴＤＤ構成により、上り回線と下り回線の分離を行い、回線制御を簡単化することができる。
【００１４】
請求項２に記載された発明は、請求項１記載のＴＤＭＡ／ＴＤＤ方式の移動通信システムにおける無線チャネルアクセス方法において、前記通知ステップにより通知される前記通信チャネル構成の変更の内容は、更に、通信チャネルフレーム構成情報パターンを有することを特徴とする。
【００１５】
請求項３に記載された発明は、請求項１又は２記載のＴＤＭＡ／ＴＤＤ方式の移動通信システムにおける無線チャネルアクセス方法において、前記デフォルトの通信チャネル構成と異なるチャネルの通信チャネル構成は、チャネル番号情報、基本フレーム周期情報、ＴＤＭＡ／ＴＤＤ構成情報、バーストアクセス方式情報及び変更タイミング情報を有することを特徴とする。
【００１６】
請求項４に記載された発明は、時分割通信の基本フレームをバーストアクセス通信用領域及び時分割通信用領域に分割し、バーストアクセス通信及び時分割通信の混在を可能としたＴＤＭＡ／ＴＤＤ方式の移動通信システムにおける無線チャネルアクセス方法において、前記バーストアクセス通信及び前記時分割通信の通信チャネル構成を動的に変更する変更ステップと、前記移動通信システムにおける基地局は、前記通信チャネル構成の変更に先だって、前記移動通信システムにおける移動局には通信チャネルにより、前記通信チャネル構成の変更の内容を通知する通知ステップとを有し、時分割通信用領域において、上り回線に対して、下り回線の比率を大きくし、前記通知ステップにより通知される前記通信チャネル構成の変更の内容は、通信チャネル構成が変更されるチャネルの通信チャネル構成及び通信チャネルフレーム構成情報パターンを有する通信チャネルフレーム構成差分情報であることを特徴とするＴＤＭＡ／ＴＤＤ方式の移動通信システムにおける無線チャネルアクセス方法である。請求項４記載の発明によれば、通信チャネル構成の変更の内容として、変更前の通信チャネル構成と変更後の通信チャネル構成との差分の情報を通知することにより、通信チャネルの構成自体を通知するのに比較して、少ないデータ量で通信チャネル構成の変更の内容を通知することができる。
【００１７】
請求項５に記載された発明は、請求項４記載のＴＤＭＡ／ＴＤＤ方式の移動通信システムにおける無線チャネルアクセス方法において、前記通信チャネル構成が変更されるチャネルの通信チャネル構成は、チャネル番号情報、基本フレーム周期情報、ＴＤＭＡ／ＴＤＤ構成情報、バーストアクセス方式情報及び変更タイミング情報を有することを特徴とする。
【００１８】
請求項６に記載された発明では、請求項１ないし５いずれか一項記載のＴＤＭＡ／ＴＤＤ方式の移動通信システムにおける無線チャネルアクセス方法において、移動局は、前記通信チャネル構成の変更に先だって、前記基地局から送出された、前記通信チャネル構成の変更の内容に基づいて、通信チャネルの構成を変更することを特徴とする。
【００１９】
請求項６記載の発明は、ＴＤＭＡ／ＴＤＤ方式の移動通信システムにおける無線チャネルアクセス方法における移動局を規定したものである。
請求項７に記載された発明は、請求項１ないし６いずれか一項記載のＴＤＭＡ／ＴＤＤ方式の移動通信システムにおける無線チャネルアクセス方法において、時分割による多重通信に加え、スペクトル拡散による多重通信を行うことを特徴とする。
【００２０】
請求項７記載の発明によれば、時分割による多重通信に加え、スペクトル拡散による多重通信を行うことにより、通信チャネルをこれまでの周波数の軸に加え更にコードの軸で分割することが可能となり、より通信チャネルの選択範囲が広がる無線チャネルアクセス方法が提供可能となる。また、広帯域のスペクトル拡散による多重通信を利用すれば、更に多くのチャネルが利用可能となり、自由なチャネル構成の組み合わせにより、さらに効率的な無線チャネルのアクセス方法が提供可能となる。
【００２５】
【発明の実施の形態】
発明の実施の形態について説明する。図１６に本発明の移動通信システムの構成例を示す。公衆電話網、ＬＡＮ等に接続される無線制御局１は、無線基地局２と有線又は無線で接続されている。各無線基地局２は、通信ゾーン４、５を有しており、各無線基地局２は、自己の通信ゾーン４、５内の無線移動局３と通信する。無線移動局３は、在圏する通信ゾーンの無線基地局２及び無線回線制御局１等を介して公衆網、ＬＡＮに接続し、電話機又はデータ端末装置等と電話通信又はデータ通信を行う。なお、無線基地局２の一つは、無線回線制御局１の機能を備えた構成としても良い。
【００２６】
図１７に無線回線制御局１を示す。無線回線制御局１は、有線インタフェース１１、制御部１２、メモリ１３等を有する。有線インタフェース１１は、電話公衆ネットワーク、ＬＡＮ、無線基地局２等とのインタフェースをとる。制御部１２は、無線基地局の回線等の制御を行う。例えば、通信される内容（電話通信、データ通信）に基づいて、無線基地局２に対して、効率的な通信が行われるように、無線回線のチャネルアクセスの構成の変更を行うよう指示する。メモリ１３は、無線回線のチャネルアクセスの構成の変更を行うのに必要な情報等の記憶を行う。例えば、基地局に関する情報、通信情報、回線情報等を記憶する。
【００２７】
図１８に無線基地局２を示す。無線基地局２は、有線インタフェース２１、無線送受信部２２、制御部２３、メモリ２４等を有する。有線インタフェース２１は、無線制御局１とのインタフェースをとる。無線送受信部２２は、自己の通信ゾーン内の無線移動局３と無線による送受信を行う。制御部２３は、無線制御局１からの指示を受けて回線制御等を行う。例えば、無線制御局１からの指示に基づいて、無線回線のチャネルアクセスの構成の変更を行う。メモリ２４は、無線回線の制御に必要な情報等の記憶を行う。例えば、無線回線のチャネルアクセスの構成、基本フレーム周期に関する情報、チャネルアクセスの構成の変更に関する情報等を記憶する。
【００２８】
図１９は、無線移動局３を示す。無線移動局３は、無線送受信部３１、制御部３２、メモリ３３等を有する。無線送受信部３１は、在圏する通信ゾーンの無線基地局２と無線による送受信を行う。制御部３２は、無線制基地局２からの指示を受けて回線制御等を行う。例えば、無線基地局２からの指示に基づいて、無線回線のチャネルアクセスの構成の変更を行う。メモリ３３は、無線回線のチャネルアクセスの構成の変更に必要な情報等の記憶を行う。例えば、現在の無線回線のチャネルアクセスの構成、基本フレーム周期に関する情報、チャネルアクセスの構成の変更に関する情報等を記憶する。
【００２９】
本発明による無線チャネルアクセス方法は、上記の課題を解決するために、一つ以上の制御チャネルと一つ以上の通信チャネルを持つ時分割通信方式の移動通信システムにおいて、時分割通信方式とバーストアクセス通信方式を混在して使うことが可能な無線アクセスシステムである。ここで、時分割通信方式としては、ＴＤＭＡ、ＴＤＭＡ/ ＴＤＤ、ＴＤＭＡ／ＦＤＤの何れでもよく、バーストアクセス通信方式としてはコンテンション方式でもノンコンテンション方式でも又はその混在するものでも良い。また、時分割通信方式とバーストアクセス方式の混在を動的に変更可能としてもよい。この場合、変更となる通信チャネルの構成と変更タイミングを基地局が指示し、移動局がその指示に従う。また、基地局は、移動局に対する指示を、制御チャネル又は通信チャネルを用いて通知する。
【００３０】
また、ＣＤＭＡを適応することにより、通信チャネルをこれまでの周波数の軸に加え更にコードの軸で多重化することが可能である。
（第１の実施の形態）
第１の実施の形態を図５から図１２を用いて説明する。図５（Ａ）は、ＴＤＭＡ/ＴＤＤフレームの例であり、下り回線８フレーム及び上り回線８フレームを基本フレーム周期とする。例では、上り回線及び下り回線のフレーム数をそれぞれ８としているが、それぞれに独立に１以上の任意の数を取ることが可能である。図５（Ａ）では基本フレーム周期１６である。また、図５（Ｂ）は、ＴＤＭＡ/ＴＤＤとバーストアクセス方式が併存している場合の例である。例では、ＴＤＭＡ/ＴＤＤフレームの下りフレームが３、上りフレームが２であり、そして、基本フレーム周期１６の残りがバーストアクセス方式によるアクセス部分となる。この場合もＴＤＭＡ/ＴＤＤのフレーム数をそれぞれ０以上の任意の数を割り当てることが可能であるが、合計が基本フレーム周期１６よりも多くなることはなく、残りがバーストアクセス方式となる。（ＴＤＭＡ/ＴＤＤのフレーム数が下り回線０、上り回線０の場合、バーストアクセス方式のみとなる）。また、図６は、図５（Ｂ）のバーストアクセス方式の部分を拡大したものであり、ビーコン信号により、バーストアクセス方式のフレーム構成情報を通知する。バーストアクセス基本フレーム周期は、その整数倍がバーストアクセス方式周期となるような任意の周期が設定可能である。
【００３１】
ここで、少なくとも一つ以上の制御チャネルと少なくとも一つ以上の通信チャネルをそれぞれ持つシステムにおいて、通信チャネルのデフォルト構成が図５のＴＤＭＡ/ ＴＤＤの通信フレームの構成から、ある通信チャネル（搬送周波数）だけを図５のＴＤＭＡ/ ＴＤＤとバーストアクセス方式が併存している例のように通信チャネルフレーム構成に変更する方法について説明する。
【００３２】
図７、図９及び図１０は、基地局が移動局に通知する必要のある情報である。制御チャネル又は通信チャネルの中で移動局に報知すべき情報として通信チャネルのフレーム構成情報がある。図７の例では、チャネル番号（チャネル番号は、搬送周波数毎に異なる）をデフォルトに設定しており、デフォルトの通信チャネル構成は、基本フレーム周期１６、ＴＤＭＡ/ ＴＤＤ構成が上り回線８フレーム、下り回線８フレーム、バーストアクセス方式なし、変更タイミング済みとなっていることを示している。ここで、変更タイミングとは図８に示すようにフレーム構成を変更する基本フレーム周期の残り数を示す。従って、０の場合は変更が終わっていることを示す。また、チャネル番号の２では、通信チャネルの構成が基本フレーム周期１６、ＴＤＭＡ/ ＴＤＤ構成が下り回線３フレーム、上り回線２フレーム、バーストアクセス方式８０２. １１、変更タイミング１０となっており、１０基本フレーム周期後に変更する必要がある。なお、ここでは、チャネル番号２だけを変更する例で説明しているが、複数チャネル番号を指定可能である。その場合は、チャネル２に続けて、チャネル構成がデフォルト値と異なるチャネル分繰り返す。
【００３３】
また、たとえば、ＴＤＭＡ/ ＴＤＤ構成を下り４上り０とする事により、ＴＤＭＡとして無線アクセス方式を指定可能であり、別通信チャネルでＴＤＭＡ/ ＴＤＤと混在させることが可能である。最後に通信チャネルフレーム構成情報パターンを設定する。これはモジュロー（例えば、３ビット構成であれば、構成を８回変更すると元の値に戻る）であり、フレーム構成を変更するごとに更新する（変更タイミングのみの変更は含まれない）。移動局は、この通信チャネルフレーム構成情報パターンの値を検出することにより、フレーム構成の変化の生じたこと又は現在何番目の変更かを知ることができる。
【００３４】
次に、通信チャネルの中で移動局に報知すべき情報として通信チャネルフレーム構成差分情報がある。図９は、通信チャネルフレーム構成差分情報の例を示す。これは、通信チャネルフレーム構成を変更した場合、通信チャネルフレーム構成のうち、変更した情報のみを送るものである。これによって、通信チャネルにおける制御情報の送信量を減らすことが可能である。
【００３５】
また、制御チャネルにより、移動局に報知すべき情報として着信信号がある。図１０は、基地局から移動局に報知される着信信号フォーマットを示す。これは、当該移動局に対する、着信の有無及び着信ありの場合の着信番号を通知するものであるが、待ち受け中の移動局に通信チャネル構成の変更を通知するため、通信チャネルフレーム構成情報パターンを報知している。この例では通信チャネルフレーム構成情報パターンを報知しているが、この通信チャネルフレーム構成情報パターンは、必ずしも通知する必要はない。
【００３６】
時分割通信方式とバーストアクセス通信方式とが混在するアクセス方法において、基地局が、無線制御局の指示に基づいて通信チャネル構成を変更し、それを移動局に報知する場合の制御フローを図１１に示す。基地局は通常、制御チャネルにより通信チャネルフレーム構成情報を報知し、かつ必要に応じ通信チャネルの一部を割いて、通信用チャネルを用いて通信チャネルフレーム構成情報及び通信チャネルフレーム構成差分情報のうち、少なくとも一つの情報を報知する（必要に応じとは、通信チャネルでの制御情報の報知容量に応じて選択する）。ここで、通信チャネル構成を変更し、それを移動局に報知する場合Ｓ１、通信チャネルフレーム構成情報を更新し、変更するチャネルの変更タイミングを各基本フレーム周期ごとに算出しＳ２、さらに、通信チャネルフレーム構成差分情報と変更するチャネルの変更タイミングを算出しＳ３、制御チャネルの報知情報、通信チャネルのビーコンを通じて報知するＳ４。また、通信チャネルを変更するタイミングがくる（Ｓ５のYES ）と基地局は該当する通信チャネルのフレーム構成を変更するＳ６。従って、通信チャネルの変更が行われたので、制御チャネルの報知情報及び通信チャネルのビーコン中の変更タイミングを０とするＳ７。
【００３７】
図１２に移動局の動作を示す。移動局は起動時Ｓ１０、又は他エリアから移動時、基地局からの制御チャネルを受信しＳ１１、報知情報を取得することによりＳ１２、通信チャネルフレーム構成情報を記憶するＳ１３。次にＴＤＭＡ/ ＴＤＤで待ち受けるかどうかＳ１４により、Yes の場合制御チャネルの着信信号をもとに待ち受け状態Ｓ１５となる。ここで、通信チャネルフレーム構成に変化が生じたことを検知した場合Ｓ１６のＮＯ、再度報知情報取得処理を行うＳ１２。一方、ＴＤＭＡ/ ＴＤＤで待ち受けるかどうかＳ１４により、Noの場合、バーストアクセスチャネルで待ち受けるため、バーストアクセスチャネル要求を行って、バーストアクセス方式の存在する通信チャネル番号をもらうための要求を行いＳ１７、基地局から、待受バーストアクセスチャネル指示を受信して、待受バーストアクセスチャネルである通信チャネル番号を受け取るＳ１８。この通信チャネル番号に対応する通信チャネルフレーム構成情報を記憶した情報から読み出しＳ１９、ビーコン受信により待ち受けとなるＳ２０。ここで、通信チャネル構成に変更が生じたことを検知した場合（Ｓ２１のＮＯ）、受信したフレーム構成情報が通信チャネルフレーム構成差分情報であり、かつ通信チャネルフレーム構成情報パターンの増加分が１でない場合（Ｓ２２のＹｅｓ、Ｓ２３のＮＯ）、再度制御チャネル受信から行うＳ１１。また、それ以外の場合、通信チャネルフレーム構成情報又は通信チャネルフレーム構成差分情報を記憶しＳ２４、フレーム構成を変更する通信チャネルが自分の待ち受けでない場合は、ビーコン受信により、待ち受け処理を継続し、自分の待ち受けチャネルの場合は、記憶した情報の変更タイミングにより基本フレーム周期をカウントし、変更タイミングで、待ち受けタイミングを変更し、ビーコンを受信し、待ち受け処理を継続する。
（第２の実施の形態）
第２の実施の形態を図１３により用いて説明する。第１の実施の形態は、時分割通信方式がＴＤＤ構成であったのに対し、第２の実施の形態では、ＦＤＤ構成である点が相違する。従って、第１の実施の形態の説明の多くが準用できる。
【００３８】
図１３（Ａ）は、ＴＤＭＡフレームの例であり、それぞれ下り回線８フレーム、上り回線８フレームを基本フレーム周期とする。図１３（Ａ）では、フレーム数をそれぞれ８としているが、１以上の任意の数を取ることも可能である。また、図１３（Ｂ）は、ＴＤＭＡとバーストアクセス方式が併存している例である。このＴＤＭＡとバーストアクセス方式が併存している例では、ＴＤＭＡフレームの下り回線フレームが２、上り回線フレームが３、それぞれの基本フレーム周期の残りがバーストアクセス方式である。ここで、バーストアクセス方式の部分は、上り回線下り回線の区別なくアクセス可能である。この場合もＴＤＭＡのフレーム数をそれぞれ０以上の任意の数を割り当てることが可能であるが、合計が基本フレーム周期８よりも多くなることはなく、残りがバーストアクセス方式となる（ＴＤＭＡのフレーム数が下り０、上り０の場合、バーストアクセス方式のみとなる）。また、バーストアクセス方式については第１の実施の形態と同様、図６の構成を持つ。
【００３９】
ここで、少なくとも１つ以上の制御チャネルと２つ以上の通信チャネルをそれぞれ持つシステムにおいて、通信チャネル１から９のデフォルト構成が図１３（Ａ）にあるＴＤＭＡフレームの例の下り回線に示すチャネルに、通信チャネル１０から１８のデフォルト構成が図１３（Ａ）にあるＴＤＭＡフレームの例の上り回線に示すチャネルになっているものから、ある通信チャネルだけを図１３（Ｂ）のＴＤＭＡとバーストアクセス方式が併存している例のように変更させる方法について、例を示して説明する（それぞれの通信チャネル数は例であり、任意の数が可能である）。
【００４０】
第１の実施の形態で説明した図７、図９の通信チャネルフレーム構成情報例と通信チャネルフレーム構成差分情報例を図１４、図１５のように変えることにより可能であり、制御チャネルの着信信号フォーマットは図１０と同じものを使用する。また、動作フローは第１の実施の形態の図１１と同様の動作となる。通信チャネルフレーム構成情報のチャネル番号を１〜９、基本フレーム周期を８、ＴＤＭＡ/ ＴＤＤ構成を下り８上り０、バーストアクセス方式を無し、変更タイミングを済と設定することにより、通信チャネル１〜９のチャネル構成を通知可能であり、同様に下りチャネル１０から１８のチャネル構成も通知可能である。ここで、変更タイミングは第１の実施の形態と同様である。また、チャネル番号１とチャネル番号１０を再度指定することにより、当該通信チャネル構成が１０基本フレーム周期後に変更されることが示されている。なおここでは、チャネル番号１と１０だけを変更する例で説明しているが、複数のチャネル番号を指定可能である。また、たとえばＴＤＭＡ/ ＴＤＤ構成を下り回線４、上り回線４とする事によりＴＤＭＡ/ ＴＤＤとして無線アクセス方式を指定可能であり、別通信チャネルでＴＤＭＡと混在させることが可能である。なお、通信チャネルフレーム構成情報パターンの設定は第１の実施の形態と同様である。通信チャネルフレーム構成差分情報についても第１の実施の形態と同様の構成で、変更するチャネル１と１０チャネル構成を送るものである。以上のように第１の実施の形態と同様にＴＤＭＡでも実施可能である。
（第３の実施の形態）
ＣＤＭＡはコード拡散によって、多重化する技術であり、周波数とコードにより、チャネル番号を指定することができる。これにより、チャネルを増加することができる。
【００４１】
ＣＤＭＡは、ＴＤＭ及びＦＤＭと直交性を有するので、第１の実施の形態又は第２の実施の形態に、更にＣＤＭＡを適応することもできる。第１の実施の形態又は第２の実施の形態に、更にコードと周波数の番号によって、更に別のチャネル番号を付与することができる。
また、ＣＤＭＡはスペクトル拡散方式の直接拡散方式であるが、周波数ホッピング方式においても適応可能であり、かつＣＤＭＡと周波数ホッピング方式を組み合わせたものにも適応可能である。
【００４２】
【発明の効果】
上述の如く本発明によれば、次に述べる種々の効果を実現することができる。
請求項１記載の発明によれば、時分割通信の基本フレームをバーストアクセス通信用領域及び時分割通信用領域に分割し、バーストアクセス通信及び時分割通信の混在を可能とし、時分割通信用領域において、上り回線に対して、下り回線の比率を大きくしたことにより、音声通信及びデータ通信のそれぞれのトラフィックに応じた通信品質を満たすための制御が可能な無線チャネルアクセス方法を提供することができる。
また、バーストアクセス通信及び時分割通信の通信チャネル構成を動的に変更することにより、音声通信及びデータ通信のそれぞれのトラフィックに応じた通信品質を満たすための制御が可能となり、データ通信と音声通信が所要の通信品質を満たし、かつ効率よく行うための無線チャネルアクセス方法を提供することができる。
また、基地局は通信チャネル構成の変更に先だって、移動局に通信チャネル構成の変更の内容を通知することにより、移動局は、通信チャネル構成の変更を確実に行うことができる。また、必要に応じて、通信チャネルにより、前記通信チャネル構成の変更の内容を通知することにより、制御データの量に応じ弾力的に、基地局から移動局に通信チャネル構成の変更の内容を通知することができる。
また、ＴＤＤ構成により、上り回線と下り回線の分離を行い、回線制御を簡単化することができる。
【００４４】
請求項４記載の発明によれば、通信チャネル構成の変更の内容として、変更前の通信チャネル構成と変更後の通信チャネル構成との差分の情報を通知することにより、通信チャネルの構成自体を通知するのに比較して、少ないデータ量で通信チャネル構成の変更の内容を通知することができる。
【図面の簡単な説明】
【図１】従来のバーストアクセス通信の例を示す図である。
【図２】従来のバーストアクセス方式のフレーム構成の例を示す図である。
【図３】従来のＴＤＭＡを示す図である。
【図４】従来のＴＤＭＡ/ ＴＤＤを示す図である。
【図５】第１の実施の形態の無線アクセスフレーム構成例を示す図である。
【図６】本発明のバーストアクセス方式同期例の拡大図である。
【図７】通信チャネルフレーム構成情報例を説明するための図である。
【図８】本発明の変更タイミングを示す図である。
【図９】通信チャネルフレーム構成差分情報例である。
【図１０】制御チャネルの着信信号フォーマットの例である。
【図１１】第１の実施形態の動作を示すフローチャートの例である。
【図１２】第１の実施形態における移動局の動作を示すフローチャートの例である。
【図１３】第２の実施の形態の無線アクセスのフレーム構成例を示す図である。
【図１４】第２の実施の形態における通信用チャネルフレーム構成情報例を説明するための図である。
【図１５】第２の実施の形態における通信用チャネルフレーム構成差分情報例を説明するための図である。
【図１６】本発明の移動通信システムの構成例の図である。
【図１７】本発明の無線回線制御局を説明するための図である。
【図１８】本発明の無線基地局を説明するための図である。
【図１９】本発明の無線移動局を説明するための図である。
【符号の説明】
１    無線回線制御局
２    無線基地局
３    無線移動局
４、５    無線基地局の通信ゾーン
１１、２１    有線インタフェース
２２、３１    無線送受信部
１２、２３、３２    制御部
１３、２４、３３    メモリ
ＳＴＡ１〜ＳＴＡｎ    移動局及び基地局
Ｔ    基本周期
Ｂ    ビーコン
【図１】
0003955680.tif 000002
【図２】
0003955680.tif 000003
【図３】
0003955680.tif 000004
【図４】
0003955680.tif 000005
【図５】
0003955680.tif 000006
【図６】
0003955680.tif 000007
【図７】
0003955680.tif 000008
【図８】
0003955680.tif 000009
【図９】
0003955680.tif 000010
【図１０】
0003955680.tif 000011
【図１１】
0003955680.tif 000012
【図１２】
0003955680.tif 000013
【図１３】
0003955680.tif 000014
【図１４】
0003955680.tif 000015
【図１５】
0003955680.tif 000016
【図１６】
0003955680.tif 000017
【図１７】
0003955680.tif 000018
【図１８】
0003955680.tif 000019
【図１９】
0003955680.tif 000020